(57)【要約】      （修正有）【課題】ソーラーパネルの設置作業において、波板スレートの重合部分に生じる段差を吸収して水平を出すための調整作業を最小限にすることができ、かつ屋根の部位別に合ったパネル設置用ベース板の支承金具を提供する。【解決手段】カバールーフの隣接するカバー部を跨いで架設され、断面をカバー部の側面と沿う略台形状とし、その断面台形状の突出部２間の中央部位に受金具を固着するボルト挿通用の長孔３を設け、前記カバー部と対応する部位には、カバー部、波板の突面を貫通し、既存母屋材に当該金具を固定するためのネジの挿通孔４が設けられているソーラーパネル設置用ベース板の支承金具１において、前記突出部２の一部に波板スレートの重合による段差を吸収し、平坦度を保持するための屈曲部を形成してあることとする。【選択図】図１
0003182929.tif 000002
【実用新案登録請求の範囲】
【請求項１】
波板スレート屋根上に、その波板スレート屋根の突面上に位置する断面台形状をしたカバー部を平板部を介して連続して形成したカバールーフを取り付けた二重構造屋根に使用されるソーラーパネル設置用のベース板を支承するための金具であって、前記したカバールーフの隣接するカバー部を跨いで架設され、断面をカバー部の側面と沿う略台形状とし、その断面台形状の突出部間の中央部位に受金具を固着するボルト挿通用の長孔を設け、前記カバー部と対応する部位には、カバー部、波板の突面を貫通し、既存母屋材に当該金具を固定するためのネジの挿通孔が設けられているソーラーパネル設置用ベース板の支承金具において、前記突出部の一部に波板スレートの重合による段差を吸収し、平坦度を保持するための屈曲部を形成してあることを特徴とするソーラーパネル設置用ベース板の支承金具。
【請求項２】
前記した屈曲部は突出部の長手方向に沿った一方片側に形成されていることを特徴とする請求項１に記載のソーラーパネル設置用ベース板の支承金具。
【請求項３】
前記した屈曲部は突出部の長手方向に沿った中央部分を外方へ膨出させて形成されていることを特徴とする請求項１に記載のソーラーパネル設置用ベース板の支承金具。
【請求項４】
前記した屈曲部は突出部の長手方向に沿った中央部分を内方へ凹ませて形成されていることを特徴とする請求項１に記載のソーラーパネル設置用ベース板の支承金具。
【考案の詳細な説明】
【技術分野】
【０００１】
本考案はソーラーパネル設置用ベース板の支承金具に関し、特に、基礎金具となるＣ字鋼バー材上に波板スレートを葺き、その上にカバールーフを葺いた二重構造屋根にあって、ソーラーパネルを設置するため、そのベース板を支承するための支承金具に関する。
【背景技術】
【０００２】
ソーラーパネルを目的個所に設置するには、そのソーラーパネルのモジュールを支持するためのベース板が必要とされる。現在、ソーラーパネルは建造物の屋根上に設置することが広く実施されており、高効率を得ているが、上記したように二重構造屋根にあっては、ベース板を支承するための構成が開発されておらず、そのため、ソーラーパネルを設置することを断念するか、既設の二重構造屋根を取り外し、他の構造へ変更しなければならないという煩わしさがあった。
【０００３】
この二重構造はカバールーフを波板スレートに重ねることで、より段差を設けて防水性を高め台風時等の横風、強風に対する強度を持たせ、カバールーフと波板スレートの間の溝部分は通気性をよくしてあるので断熱効果も得ることができることとなる。
【０００４】
この既設の二重構造屋根に対して、取り付けるソーラーパネル設置用ベース支承金具の基本構造は出願人が実願２０１２−６７６５号として出願し、第３１８１０７９号として登録になっている。しかし、二重構造屋根における波板スレートは葺く際に横重ね及び縦重ねで施工するので、必然的に重合部分は、その波板スレートの厚さ分の段差が生じ、この段差が生じた上にカバールーフを配置すると、その天面位置は水平からずれてしまう。
【０００５】
この位置ずれを調整して水平を出す場合にはカバールーフに対して、図７、図８として示すスペーサ（調整座金）を介在させることになる。ここで図７に示す１０はサイドスペーサー、図８に示す１１はセンタースペーサーである。
【先行技術文献】
【特許文献】
【０００６】
【特許文献１】実願２０１２−６７６５号出願書類
【考案の概要】
【考案が解決しようとする課題】
【０００７】
本考案が解決しようとする問題点は、波板スレートの重合部分に生じる段差を吸収して水平を出すための調整作業が微妙な作業で繁雑となるという点で、この調整作業を最小限にすることのできるソーラーパネル設置用支承金具、それも屋根の部位別に合った支承金具は存在していないという点である。
【課題を解決するための手段】
【０００８】
この問題点を解決するために、本考案に係るソーラーパネル設置用ベース板の支承金具は波板スレート屋根上に、その波板スレート屋根の突面上に位置する断面台形状をしたカバー部を平板部を介して連続して形成したカバールーフを取り付けた二重構造屋根に使用されるソーラーパネル設置用のベース板を支承するための金具であって、前記したカバールーフの隣接するカバー部を跨いで架設され、断面をカバー部の側面と沿う略台形状とし、その断面台形状の突出部間の中央部位に受金具を固着するボルト挿通用の長孔を設け、前記カバー部と対応する部位には、カバー部、波板の突面を貫通し、既存母屋材に当該金具を固定するためのネジの挿通孔が設けられているソーラーパネル設置用ベース板の支承金具において、前記突出部の一部に波板スレートの重合による段差を吸収し、平坦度を保持するための屈曲部を形成してあることを特徴としている。
【０００９】
また、本考案に係るソーラーパネル設置用ベース板の支承金具は前記した屈曲部は突出部の長手方向に沿った一方片側に形成されていることを特徴としている。
【００１０】
さらに、本考案に係るソーラーパネル設置用ベース板の支承金具は前記した屈曲部は突出部の長手方向に沿った中央部分を外方へ膨出させて形成されていることを特徴としている。
【００１１】
そして、本考案に係るソーラーパネル設置用ベース板の支承金具は前記した屈曲部は突出部の長手方向に沿った中央部分を内方へ凹ませて形成されていることを特徴と
【考案の効果】
【００１２】
本考案に係るソーラーパネル設置用ベース板の支承金具は上記のように構成されている。そのため、波板スレートの重合による段差によって生じるカバールーフ天面の凹凸もこの支承金具の屈曲部によって吸収することができ、カバールーフに対する調整作業も最小のもので済み、容易にフラットな状態でソーラーパネル設置用ベース板を装備させることができる。
【図面の簡単な説明】
【００１３】
【図１】本考案の第一実施例に係る支承金具を示す正面図である。
【図２】縦断面図である。
【図３】第二実施例を示す正面図である。
【図４】縦断面図である。
【図５】第三実施例を示す正面図である。
【図６】縦断面図である。
【図７】サイドスペーサーを示す図である。
【図８】センタースペーサーを示す図である。
【考案を実施するための形態】
【００１４】
図面として示し、実施例で説明したように構成したことで実現した。
【実施例１】
【００１５】
次に、本考案の好ましい第一実施例を図１、図２を参照して説明する。これらの図にあって１は本考案を実施した支承金具を示している。この支承金具１は鋼板で成形され、防錆のため亜鉛メッキ仕上げが施されたものとなっており、全体としては長方形の板状となっており、その短手側の両端はカバールーフのカバー部の外側面と合致して沿うように屈曲されており（想定は１２０度）、正背面から見ると略台形状となっている。
【００１６】
この支承金具１の長手方向に沿った中央部分は略断面コ字状に外方へ突出された突出部２となっており、補強処理がなされている。本実施例ではこの突出部２の突出寸法は４ｍｍを想定している。この突出部２の中央部位には、支承金具１の長手方向に沿って長寸とした小判状の長孔３が設けられている。ここで長孔３を設けてあるのはボルト挿通位置をアジャストすることができるようにするためである。
【００１７】
また、突出部２には前記長孔３と中心線を直線上としたネジ挿通孔４、４が設けられ、このネジ挿通孔４、４はカバールーフのカバー部頂面と対応する位置とされ、ネジの挿通位置をアジャストすることができるように、このネジ挿通孔４、４も長孔が使用されている。
【００１８】
さらに、この第一実施例にあっては、支承金具１の長手方向に沿って、一方端部から長さの約３分の１程度の位置に第一屈曲部５を設け、ネジ挿通孔４の位置面を水平に保つテーパ面７を形成する第二屈曲部６が形成されている。この二つの屈曲部５、６によるテーパ面７の存在で、波板スレートの重合による段差で生じるカバールーフの天面位置の凹凸を吸収し、支承金具１の水平性を保持することができる。尚、この第一屈曲部５、第二屈曲部６及びテーパ面７は突出部２のみに設ければよいが、加工上は、そのサイド部分にも同様に加工している。
【００１９】
この支承金具１の使用方法は特許文献１に詳述してあるが、屋根の傾斜方向と直交させて適宜間隔で配置した既存母屋材であるＣ字鋼バー上に波板スレートを取り付け、この波板スレートは幅方向（波形方向）の端部で重合する。この波板スレート上には鋼製、それもカルバリューム製のカバールーフが配置される。このカバールーフは波板スレートの空面上に位置する断面台形状をしたカバー部と、そのカバー部間を連結する平板部よりなる。このカバールーフ上に支承金具１は隣接するカバー部を跨ぐように架設される。
【００２０】
この架設状態でネジ挿通孔４、４に上方からカバールーフのカバー部及び波板スレートの突面を貫通してネジが挿通され、その下端はＣ字鋼に止着されて固定される。このネジによる止着にあって、支承金具１の上面にはネジ挿通孔４、４と対応して座金とパッキンが介在され、締着力を高める。
【００２１】
また、支承金具１の中央長孔３に対応する上面には架台を載荷する諸種のブラケット等また架台を連結する諸種の受金具等が設置される。
【００２２】
この架台を載荷する諸種のブラケット等また架台を連結する諸種の受金具等は支承金具１の下方からボルト８を長孔３に挿通して止着固定される。前記した架台はソーラーパネルのモジュールを固定するためのベース板となる。
【実施例２】
【００２３】
次に、図３、図４を参照して本考案の第二実施例を説明する。これらの図中１ａは支承金具を示しており、この支承金具１ａの基本構造及び使用方法は第一実施例における支承金具１と同様であり、突出部２ａの存在構成も同様である。
【００２４】
この第二実施例における支承金具１ａは、第一実施例で第一屈曲部５、第二屈曲部６及びテーパ面７を片側のみに形成してあるのに対し、これと同様の第一屈曲部５ａ、５ａ、第二屈曲部６ａ、６ａ及びテーパ面７ａ、７ａを、中心を境として左右対称に設け、結果としてセンター部分を外方（上方）へ膨出させた形態となっているもので、このセンター部分で波板スレートの重合による突出した段差を吸収するものとしている。
【実施例３】
【００２５】
さらに、図５、図６を参照して本考案の第三実施例を説明する。これらの図中１ｂは支承金具を示しており、この支承金具１ｂも第一実施例における支承金具１、第二実施例における支承金具１ａと同様であり、突出部２ｂの存在構成も同様である。
【００２６】
この第三実施例における支承金具１ｂは、第二実施例の支承金具１ａがセンター部分を外方（上方）へ膨出させた形態としているが、これと逆にセンター部分を内方（下方）へ凹ませた形態としてある。つまり、第一屈曲部５ｂ、５ｂの位置が第二屈曲部６ｂ、６ｂの位置よりも内方（下方）へ位置する。換言すると支承金具１ｂの両端をセンター位置よりも高く設定してあるもので、この両端寄りの部分で波板スレートの重合による突出した段差を吸収するものとしている。
【産業上の利用可能性】
【００２７】
本実施例に係るソーラーパネル設置用ベース板の支承金具は上記のように構成されている。実施例における数値材料はこれに限定されるものではなく、必要に応じて変更採択されるものであることは勿論である。加えて、本考案の目的は波板スレートの重合によって、カバールーフの天面位置が凹凸となってしまう段差の吸収にあり、その現場に応じて、支承金具の屈曲を構成することは各実施例以外でも有効である。
【符号の説明】
【００２８】
１，１ａ，１ｂ    支承金具
２，２ａ，２ｂ    突出部
３    長孔
４    ネジ挿通孔
５，５ａ，５ｂ    第一の屈曲部
６，６ａ，６ｂ    第二の屈曲部
７，７ａ，７ｂ    テーパ面
８    ボルト
１０  サイドスペーサー
１１  センタースペーサー
【図１】
0003182929.tif 000003
【図２】
0003182929.tif 000004
【図３】
0003182929.tif 000005
【図４】
0003182929.tif 000006
【図５】
0003182929.tif 000007
【図６】
0003182929.tif 000008
【図７】
0003182929.tif 000009
【図８】
0003182929.tif 000010